(57)【要約】【課題】過速スイッチ及びロープキャッチの各作動開始時における調速機シーブの回転速度を、測定作業負担を軽減しつつ正確に測定する。【解決手段】センサーマイク付きデジタル速度計６は、周速プーリー６ｈと過速スイッチ３とロープキャッチ４が発する動作音を入力するセンサーマイク６ｃとを有する。動作試験開始前のエレベータ調速機の正常動作時、作業者は、電気ドリル５を用いて調速機シーブ２の回転速度を徐々に上昇させて過速スイッチ３及びロープキャッチ４がそれぞれ作動開始時に発する動作音を基準動作音データとして速度計６に記憶させる。動作試験中、速度計６は、調速機シーブ２の回転速度を徐々に上昇させているときに収集した音と、基準動作音データとを逐次比較し、過速スイッチ３の基準動作音データと一致したときに速度表示部６ａを、ロープキャッチ４の基準動作音データと一致したときに速度表示部６ｂを、それぞれ固定表示させる。【選択図】図１
2007331847.tif 000002
【特許請求の範囲】
【請求項１】
速度異常が検出されたエレベータのかごを緊急停止させるエレベータ調速機における過速スイッチ及び／又はロープキャッチがそれぞれ作動を開始するときのかごの移動速度を測定する速度測定装置において、
前記過速スイッチ及び／又は前記ロープキャッチが作動開始時に発する動作音を基準動作音データとして記憶する基準動作音記憶手段と、
前記エレベータ調速機に含まれる調速機シーブの回転速度を測定する速度測定手段と、
前記過速スイッチ及び／又は前記ロープキャッチが発する動作音を入力する音入力手段と、
前記音入力手段から出力される動作音データを前記基準動作音記憶手段に記憶された当該基準動作音データと比較することによって動作音データが当該基準動作音データと同一か否かを判定する音判定手段と、
前記音判定手段が同一と判断したときに前記速度測定手段により測定された回転速度からかごの移動速度を算出する速度算出手段と、
前記速度算出手段が算出した移動速度を固定的に出力する速度出力手段と、
を有することを特徴とする速度測定装置。
【請求項２】
速度測定開始前に前記過速スイッチ及び／又は前記ロープキャッチの作動開始時に発する動作音データを収集して前記基準動作音記憶手段に登録する基準動作音設定手段を有することを特徴とする請求項１記載の速度測定装置。
【請求項３】
速度異常が検出されたエレベータのかごを緊急停止させるエレベータ調速機の動作試験装置において、
前記エレベータ調速機の過速スイッチ及び／又はロープキャッチが作動開始時に発する動作音を基準動作音データとして記憶する基準動作音記憶手段と、
前記エレベータ調速機に含まれる調速機シーブの回転速度を測定する速度測定手段と、
前記調速機シーブの回転速度制御を行う速度制御手段と、
前記過速スイッチ及び／又は前記ロープキャッチが発する動作音を入力する音入力手段と、
動作試験時に前記速度制御手段によって前記調速機シーブの回転速度の制御が行われているときに、前記音入力手段から出力される動作音データを前記基準動作音記憶手段に記憶された当該基準動作音データと比較することによって動作音データが当該基準動作音データと同一か否かを判定する音判定手段と、
前記音判定手段が同一と判断したときに前記速度測定手段により測定された回転速度からかごの移動速度を算出する速度算出手段と、
前記速度算出手段が算出した移動速度を固定的に出力する速度出力手段と、
を有することを特徴とするエレベータ調速機の動作試験装置。
【請求項４】
前記速度制御手段は、回転軸の回転力により調速機シーブを回転させる電気ドリルで実現され、
前記基準動作音記憶手段、前記速度測定手段、前記音入力手段、前記音判定手段、前記速度算出手段及び速度出力手段を有する速度測定装置で実現されることを特徴とする請求項３記載のエレベータ調速機の動作試験装置。
【発明の詳細な説明】
【技術分野】
【０００１】
本発明は、エレベータ調速機の動作試験装置、特にかごの移動速度の測定方法に関する。
【背景技術】
【０００２】
エレベータ調速機は、かごが昇降するときに移動速度が異常に増加し、速度異常が検出されたときにかごを緊急停止させる装置である。かごを停止させる方法として、かごの速度が定格速度の１．３倍を超えない範囲で過速スイッチを作動させて動力を遮断させる方法と、さらに定格速度の１．４倍を超えない範囲でロープキャッチを作動させてガバナロープを拘束させる方法とがあり、それぞれかごを強制的に停止させるものである。
【０００３】
乗客の安全確保のために、エレベータ調速機は常に正常動作することが要求され、建物へのエレベータ据え付け時はもちろんのこと、稼働後も点検のため定期的な動作試験を行うよう建築基準法により義務づけられている。
【０００４】
図３は、従来のエレベータ調速機の動作試験装置を示した概略図である。動作試験装置は、調速機シーブ２を回転させる動力であり、可変速機能を持つ電気ドリル５と、デジタル速度計６とで構成される。電気ドリル５の回転軸先端には、調速機シーブ２の外周に圧接され電気ドリル５の回転力を調速機シーブ２に伝達しやすくするためにゴムローラー５ａが取り付けられる。デジタル速度計６は、調速機シーブ２の側面に接触させる周速プーリー６ｈと、測定した調速機シーブ２の回転速度を表示する速度表示部６ａ，６ｂと、電源スイッチ６ｄとを有する。また、過速スイッチ３とデジタル速度計６とは、ケーブル６ｌにて接続される。
【０００５】
次に、従来の装置における動作について説明する。
【０００６】
いずれかの作業者が図示しない調速機ロープを調速機シーブ２から外した後、作業者Ａがデジタル速度計６の周速プーリー６ｈを調速機シーブ２の側面に接触させ、作業者Ｂが電気ドリル５のゴムローラー５ａを調速機シーブ２の外周に押し当てる。そして、作業者Ｂは、調速機シーブ２の回転速度を徐々に上げていく。調速機シーブ２の回転速度は、デジタル速度計６の速度表示部６ａ，６ｂに表示されるので、速度の増加が視認できる。ここで、過速スイッチ３の作動開始速度(定格速度の１．３倍を超えない速度で動作する)に達すると、過速スイッチ３が作動を開始し、過速スイッチ３の電気接点の信号がケーブル６ｌを介してデジタル速度計６へ送られる。これにより、デジタル速度計６の速度表示部６ａには、過速スイッチ３が作動を開始したときの速度が固定表示(ホールド)される。
【０００７】
さらに、調速機シーブ２の回転速度を上げていく。調速機シーブ２の回転速度は、デジタル速度計６の速度表示部６ｂに表示される。ここで、ロープキャッチ４の作動開始速度(定格速度の１．４倍を超えない速度で動作する)に達すると、ロープキャッチ４が作動を開始する。作業者Ａは、このときのデジタル速度計６の速度表示部６ｂの表示値を瞬時に読み取ることで、ロープキャッチ４が作動を開始した時点の速度を確認する。
【０００８】
従来では、以上のようにエレベータ調速機の動作試験を行っていたが、ロープキャッチ４の作動開始時点における速度を目視により読み取っていたので、測定誤差が生じる可能性があった。そこで、従来では、人手によらずに自動測定できる技術が提案されている（例えば特許文献１）。
【０００９】
図４は、特許文献１に示されたエレベータ調速機の動作試験装置の構成図である。図４には、調速機シーブ２を回転駆動する駆動モータ５と、予め設定された動作試験速度曲線に沿って回転するよう駆動モータ５を制御する制御器１１と、調速機シーブ２の回転速度を非接触で検出する光電スイッチ９と、駆動モータ５、光電スイッチ９、過速スイッチ３及びロープキャッチ４の動作を検出するセンサ４ａそれぞれと、制御器とを接続する各ケーブル１０ａ，１０ｂ，１０ｃ，１０ｄが示されている。
【００１０】
以上の構成を有する装置を用いてエレベータ調速機の動作試験は、以下の手順で行われる。
【００１１】
まず、制御器１１は、予め設定された速度曲線に沿って駆動モータ５を制御して調速機シーブ２の回転速度を徐々に上昇させていく。調速機シーブ２の回転速度は、光電スイッチ９により検出され、速度表示部１１ａ，１１ｂに表示される。ここで、過速スイッチ３の作動開始速度に達すると、過速スイッチ３の電気接点信号がケーブル１０ｃを介して制御器１１に送られる。制御器１１は、過速スイッチ３が作動を開始したときの速度を速度表示部１１ａに固定表示(ホールド)する。
【００１２】
さらに、調速機シーブ２の回転速度を上げていく。調速機シーブ２の回転速度は、デジタル速度計６の速度表示部１１ｂに表示される。ここで、ロープキャッチ４の作動開始速度に達すると、ロープキャッチ４が作動を開始する。これにより、ロープキャッチ４のセンサ４ａから動作信号がケーブル１０ｄを介して制御器１１に送られる。制御器１１は、ロープキャッチ４が作動を開始したときの速度を速度表示部１１ｂに固定表示(ホールド)する。
【００１３】
このようにして、作業者による目視に頼ることなく過速スイッチ３とロープキャッチ４の作動開始時点における調速機シーブ２の回転速度を正確に測定することができる。
【００１４】
【特許文献１】特開平１１−１３０３５３号公報
【発明の開示】
【発明が解決しようとする課題】
【００１５】
しかしながら、従来においては、過速スイッチの電気接点へのケーブル接続等ケーブル接続作業が必要になるため作業が煩雑となっていた。
【００１６】
また、光電スイッチや入力信号により速度表示する制御器を用いれば、目視することなく測定速度を表示することはできるが、光電スイッチや制御器等の設置作業が煩雑となっていた。また、機器構成も複雑であり、また運搬が不便である。
【００１７】
本発明は、以上のような課題を解決するためになされたものであり、過速スイッチ及びロープキャッチの各作動開始時における調速機シーブの回転速度を、測定作業負担を軽減しつつ正確に測定することを目的とする。
【課題を解決するための手段】
【００１８】
以上のような目的を達成するために、本発明に係る速度測定装置は、速度異常が検出されたエレベータのかごを緊急停止させるエレベータ調速機における過速スイッチ及び／又はロープキャッチがそれぞれ作動を開始するときのかごの移動速度を測定する速度測定装置において、前記過速スイッチ及び／又は前記ロープキャッチが作動開始時に発する動作音を基準動作音データとして記憶する基準動作音記憶手段と、前記エレベータ調速機に含まれる調速機シーブの回転速度を測定する速度測定手段と、前記過速スイッチ及び／又は前記ロープキャッチが発する動作音を入力する音入力手段と、前記音入力手段から出力される動作音データを前記基準動作音記憶手段に記憶された当該基準動作音データと比較することによって動作音データが当該基準動作音データと同一か否かを判定する音判定手段と、前記音判定手段が同一と判断したときに前記速度測定手段により測定された回転速度からかごの移動速度を算出する速度算出手段と、前記速度算出手段が算出した移動速度を固定的に出力する速度出力手段とを有するものである。
【００１９】
また、速度測定開始前に前記過速スイッチ及び／又は前記ロープキャッチの作動開始時に発する動作音データを収集して前記基準動作音記憶手段に登録する基準動作音設定手段を有するものである。
【００２０】
本発明に係るエレベータ調速機の動作試験装置は、速度異常が検出されたエレベータのかごを緊急停止させるエレベータ調速機の動作試験装置において、前記エレベータ調速機の過速スイッチ及び／又はロープキャッチが作動開始時に発する動作音を基準動作音データとして記憶する基準動作音記憶手段と、前記エレベータ調速機に含まれる調速機シーブの回転速度を測定する速度測定手段と、前記調速機シーブの回転速度制御を行う速度制御手段と、前記過速スイッチ及び／又は前記ロープキャッチが発する動作音を入力する音入力手段と、動作試験時に前記速度制御手段によって前記調速機シーブの回転速度の制御が行われているときに、前記音入力手段から出力される動作音データを前記基準動作音記憶手段に記憶された当該基準動作音データと比較することによって動作音データが当該基準動作音データと同一か否かを判定する音判定手段と、前記音判定手段が同一と判断したときに前記速度測定手段により測定された回転速度からかごの移動速度を算出する速度算出手段と、前記速度算出手段が算出した移動速度を固定的に出力する速度出力手段とを有するものである。
【００２１】
また、前記速度制御手段は、回転軸の回転力により調速機シーブを回転させる電気ドリルで実現され、前記基準動作音記憶手段、前記速度測定手段、前記音入力手段、前記音判定手段、前記速度算出手段及び速度出力手段を有する速度測定装置で実現されるものである。
【発明の効果】
【００２２】
本発明によれば、過速スイッチ及びロープキャッチの各動作音を入力する手段を設け、入力された動作音を基準動作音データと比較することで、過速スイッチ及びロープキャッチの各作動開始時点を特定し、その特定した時点における調速機シーブの回転速度を固定的に出力するようにしたので、過速スイッチやロープキャッチのセンサにケーブルを接続することなく調速機シーブの回転速度を簡便に測定し、またエレベータ調速機の動作試験を行うことができる。
【００２３】
また、作動開始時に発する動作音を入力するようにしたので、目視による測定より精度の高い計測が可能となる。加えて、運搬が容易な装置構成にて実現することができる。
【発明を実施するための最良の形態】
【００２４】
以下、図面に基づいて、本発明の好適な実施の形態について説明する。
【００２５】
図１は、本発明に係るエレベータ調速機の動作試験装置の一実施の形態を示した概略構成図である。本実施の形態における動作試験装置は、電気ドリル５とセンサーマイク付きデジタル速度計６とで構成される。電気ドリル５は、調速機シーブ２を回転させる動力であり、可変速機能を持っている。電気ドリル５は、可変速機能を用いて電気ドリル５の回転軸の回転速度を調整することで、調速機シーブ２の回転速度制御を行う。電気ドリル５の回転軸先端には、調速機シーブ２の外周に圧接され電気ドリル５の回転力を調速機シーブ２に伝達しやすくするためにゴムローラー５ａが取り付けられる。
【００２６】
センサーマイク付きデジタル速度計（以下、単に「速度計」）６は、調速機シーブ２の回転速度を測定するために、調速機シーブ２の側面に接触させる周速プーリー６ｈと、測定した調速機シーブ２の回転速度を表示する速度表示部６ａ，６ｂとを有している。さらに、速度計６は、過速スイッチ３とロープキャッチ４が発する動作音を入力するセンサーマイク６ｃ、電源スイッチ６ｄ、速度測定機能と動作音データ入力機能を切り替える切替スイッチ６ｅ、及び過速スイッチ３とロープキャッチ４の各動作音を速度計６に予め記憶させる際に操作する各入力スイッチ６ｆ，６ｇを有している。
【００２７】
図２は、本実施の形態における速度計６の内部回路図である。図２において、周波数スペクトラム処理回路６ｉは、センサーマイク６ｃから出力される動作音の出力信号に対して周波数スペクトラム処理を実施する。切替スイッチ６ｅは、周波数スペクトラム処理回路６ｉから出力される動作音データをメモリ６ｊ若しくは比較器６ｋに送る。メモリ６ｊは、送られてきた動作音データを基準動作音データとして記憶する。比較器６ｋは、速度測定時に入力された動作音の周波数スペクトラムをメモリ６ｊに記憶された基準動作音データと比較し、同一データか否かを判定し、同一であればトリガ信号を演算器６ｍに即時に出力する。変換器６ｎは、周速プーリー６ｈによる検出速度を電気信号に変換する。演算器６ｍは、変換器６ｎからの出力信号を演算処理することで速度を算出する。その算出結果、すなわち調速機シーブ２の回転速度を速度表示部６ａ，６ｂにデジタル表示すると共に比較器６ｋからトリガ信号が入力されたときには速度表示部６ａ又は速度表示部６ｂを固定表示(ホールド)する。
【００２８】
次に、本実施の形態における動作について説明する。
【００２９】
本実施の形態では、動作試験を開始する前に基準動作音データを収集して予め保持しておく必要がある。この作業手順は、次の通りである。
【００３０】
いずれかの作業者が図示しない調速機ロープを調速機シーブ２から外した後、作業者Ａは、速度計６の電源スイッチ６ｄをオンにし、切替スイッチ６ｅを動作音データ入力機能側、すなわち、周波数スペクトラム処理回路６ｉをメモリ６ｊに接続した状態にする。さらに、入力スイッチ６ｆを「入」、入力スイッチ６ｇを「切」にした状態でセンサーマイク６ｃを調速機シーブ２に近づけておく。
【００３１】
作業者Ｂは、電気ドリル５のゴムローラー５ａを調速機シーブ２の外周に押し当て圧接する。そして、作業者Ｂは、調速機シーブ２の回転速度を徐々に上げていく。この回転速度の増加に連動して調速機シーブ２の回転速度も増加する。ここで、過速スイッチ３の作動開始速度(定格速度の１．３倍を超えない速度で動作する)に達すると、過速スイッチ３が作動を開始する。なお、動作試験開始前の基準動作音データ収集時においては、過速スイッチ３は、規定通りに規定速度（作動開始速度）近傍で作動を開始するはずである。従って、作業者は、過速スイッチ３の作動開始速度に達したかどうかと言うことに関しては、特に意識する必要はない。過速スイッチ３が作動を開始すると、過速スイッチ３の電気接点が切り替わる。このときに発生する動作音がセンサーマイク６ｃから入力されることになる。センサーマイク６ｃに入力され、そして出力される音信号は、周波数スペクトラム処理回路６ｉにより周波数スペクトラム処理され、過速スイッチ３の基準動作音データとしてメモリ６ｊに書き込まれる。
【００３２】
その後、作業者Ａは、入力スイッチ６ｆを「切」、入力スイッチ６ｇを「入」にする。センサーマイク６ｃは、調速機シーブ２に近づけておく。そして、作業者Ｂがさらに調速機シーブ２の回転速度を徐々に上げることで調速機シーブ２の回転速度を上げていく。ここで、ロープキャッチ４の作動開始速度(定格速度の１．４倍を超えない速度で動作する)に達すると、ロープキャッチ４が作動を開始する。なお、動作試験開始前の基準動作音データ収集時においては、ロープキャッチ４は、規定通りに規定速度（作動開始速度）近傍で作動を開始するはずである。従って、作業者は、ロープキャッチ４の作動開始速度に達したかどうかと言うことに関しては、特に意識する必要はない。ロープキャッチ４が作動を開始すると、ロープキャッチ４がガバナロープを拘束するよう動作する。この際にガバナロープと当接して発生する音がセンサーマイク６ｃから入力されることになる。センサーマイク６ｃに入力され、そして出力される音信号は、周波数スペクトラム処理回路６ｉにより周波数スペクトラム処理され、ロープキャッチ４の基準動作音データとしてメモリ６ｊに書き込まれる。
【００３３】
以上のようにして、動作試験前に過速スイッチ３とロープキャッチ４の各基準動作音データが収集される。続いて、動作試験を実施する際の作業手順について説明する。
【００３４】
いずれかの作業者が図示しない調速機ロープを調速機シーブ２から外した後、作業者Ａは、切替スイッチ６ｅを速度測定機能側、すなわち、周波数スペクトラム処理回路６ｉを比較器６ｋに直接接続した状態にする。さらに、入力スイッチ６ｆ及び入力スイッチ６ｇを共に「切」にした状態にする。
【００３５】
作業者Ｂは、電気ドリル５のゴムローラー５ａを調速機シーブ２の外周に押し当て圧接する。そして、作業者Ｂは、調速機シーブ２の回転速度を徐々に上げることで調速機シーブ２の回転速度を上げていく。このとき、センサーマイク６ｃには、エレベータ調速機周囲で発生する音が入力されることになる。このセンサーマイク６ｃから入力された音は、周波数スペクトラム処理回路６ｉにより周波数スペクトラム処理されて比較器６ｋに送られることになる。そして、比較器６ｋは、送られてきた動作音データと、メモリ６ｊに記憶された各基準動作音データとを逐次比較し、動作音データがいずれかの基準動作音データと周波数スペクトラムが同じであるか否かを逐次判定する。
【００３６】
作業者Ｂは、調速機シーブ２の回転速度を徐々に上げていき、調速機シーブ２の回転速度が過速スイッチ３の作動開始速度に達すると、過速スイッチ３が作動を開始する。もちろん、ここでの作業は、過速スイッチ３の動作試験であるため、過速スイッチ３が異常であれば、過速スイッチ３の作動開始速度に達する前に作動を開始したり、あるいは規定速度（作動開始速度）に達しても過速スイッチ３が作動を開始しなかったりする可能性はある。本実施の形態では、過速スイッチ３が作動を開始した時点の調速機シーブ２の回転速度を測定することを目的としているので、ここでは説明の便宜上、過速スイッチ３の規定速度に達したときに過速スイッチ３が作動を開始するものとして説明する。
【００３７】
過速スイッチ３が作動を開始すると、作動開始により動作音が発生することになるが、この動作音はセンサーマイク６ｃから入力されることになる。センサーマイク６ｃに入力され、そして出力される音信号は、周波数スペクトラム処理回路６ｉにより周波数スペクトラム処理されて比較器６ｋに送られることになる。そして、比較器６ｋは、送られてきた動作音データと、メモリ６ｊに記憶された各基準動作音データとを比較し、動作音データがいずれかの基準動作音データと周波数スペクトラムが同じであるか否かを判定する。この場合、過速スイッチ３の動作音がセンサーマイク６ｃから入力されているので、比較器６ｋは、同一音であると判定して、トリガ信号を演算器６ｍに即時に出力する。
【００３８】
動作試験開始後、演算器６ｍは、周速プーリー６ｈの回転速度を表す電気信号を変換器６ｎから受け取ると、演算処理を実施して周速プーリー６ｈの回転速度、すなわち調速機シーブ２の回転速度を算出し、速度表示部６ａ，６ｂに逐次表示する。作業者Ａは、この表示内容を見ることで回転速度の上昇を確認できる。そして、上記のように比較器６ｋからトリガ信号が入力されてくると、演算器６ｍは、動作試験開始後、最初のトリガ信号の入力なので、速度表示部６ａを固定表示(ホールド)する。なお、トリガ信号に過速スイッチ３とロープキャッチ４の識別信号を含めるようにしてもよい。
【００３９】
続けて、作業者Ｂがさらに調速機シーブ２の回転速度を徐々に上げることで調速機シーブ２の回転速度を上げていく。このとき、過速スイッチ３の場合と同様に、センサーマイク６ｃには、エレベータ調速機周囲で発生した音が入力されるので、比較器６ｋは、周波数スペクトラム処理によりその入力された動作音から生成された動作音データと、メモリ６ｊに記憶された各基準動作音データとを逐次比較し、動作音データがいずれかの基準動作音データと周波数スペクトラムが同じであるか否かを逐次判定する。
【００４０】
作業者Ｂは、調速機シーブ２の回転速度を徐々に上げていき、ロープキャッチ４の作動開始速度に達すると、ロープキャッチ４が作動を開始する。この作動開始により発生した動作音は、センサーマイク６ｃに入力され、上記のように比較器６ｋにより比較され、動作音の同一性が判定される。ここでは、ロープキャッチ４の動作音が入力されているので、比較器６ｋは、同一音であると判定して、トリガ信号を演算器６ｍに即時に出力する。
【００４１】
演算器６ｍは、２回目のトリガ信号入力前、速度表示部６ａを固定表示し、速度表示部６ｂの表示を逐次更新して、現在の調速機シーブ２の回転速度を表示しているが、２回目のトリガ信号が入力されてくると、速度表示部６ｂを固定表示(ホールド)する。速度表示部６ｂが固定表示されると、動作試験を終了することができる。
【００４２】
以上のようにして、速度表示部６ａには過速スイッチ３の作動開始時点の調速機シーブ２の回転速度が、速度表示部６ｂにはロープキャッチ４の作動開始時点の調速機シーブ２の回転速度が、それぞれ固定表示されるが、本実施の形態では、過速スイッチ３及びロープキャッチ４それぞれが作動開始時点で発生する動作音をトリガとして、それぞれの作動開始時点における調速機シーブ２の回転速度を測定できるようにしたので、過速スイッチ３やロープキャッチ４にケーブルを接続するなどの手間がなくなり簡便である。また、過速スイッチ３及びロープキャッチ４それぞれの作動開始時点で速度表示部６ａ，６ｂの表示内容を固定表示するようにしたので、各作業開始時点における表示内容を目視により読み取る必要がない。これにより、作業負担が軽減されると共に調速機シーブ２の回転速度を高精度に測定することができる。さらに、本実施の形態では、制御器などの装置は不要で電気ドリル５と速度計６とを持ち運べばよいため運搬も容易である。
【００４３】
なお、本実施の形態では、動作試験中に入力された動作音データと、予め収録しておいた基準動作音データとを比較することで、入力された音が過速スイッチ３又はロープキャッチ４の動作音であるか否かを判定するようにした。従って、測定精度を向上させるためには、基準動作音データを収集し保存する際、過速スイッチ３及びロープキャッチ４の各動作音を入力するときのセンサーマイク６ｃの位置などの動作環境を、動作試験を実施する際の環境と極力一致するようにすることが望ましい。
【００４４】
なお、エレベータ調速機においてかごを緊急停止させる機構として、現在では、過速スイッチ３とロープキャッチ４を使用しているため、これらの動作音をトリガとして調速機シーブ２の回転速度を測定するようにしたが、今後、過速スイッチ３やロープキャッチ４に代わる機構が登場してきた場合には、これらの新しい機構にも適用することは可能である。
【図面の簡単な説明】
【００４５】
【図１】本発明に係るエレベータ調速機の動作試験装置の一実施の形態を示した概略構成図である。
【図２】本実施の形態におけるセンサーマイク付きデジタル速度計の内部回路図である。
【図３】従来のエレベータ調速機の動作試験装置を示した概略構成図である。
【図４】従来の他のエレベータ調速機の動作試験装置の構成図である。
【符号の説明】
【００４６】
１  基台、２  調速機シーブ、３  過速スイッチ、４  ロープキャッチ、５  電気ドリル、５ａ  ゴムローラー、６  センサーマイク付きデジタル速度計、６ａ，６ｂ  速度表示部、６ｃ  センサーマイク、６ｄ  電源スイッチ、６ｅ  切替スイッチ、６ｆ，６ｇ  入力スイッチ、６ｈ  周速プーリー、６ｉ  周波数スペクトラム処理回路、６ｊ  メモリ、６ｋ  比較器、６ｍ  演算器、６ｎ  変換器。
【図１】
2007331847.tif 000003
【図２】
2007331847.tif 000004
【図３】
2007331847.tif 000005
【図４】
2007331847.tif 000006